(57)【要約】【課題】電波受信性能が高い光学装置。【解決手段】光学装置であって、観察像を結像させる光学系と、光学系の非使用時に光学系の端部を遮蔽し、光学系の使用時に光学系を露出するレンズカバーと、レンズカバーに設けられた、電波を受信する電波受信部とを備える。上記光学装置において、レンズカバーは、光学系の使用時において、非使用時における遮蔽位置よりも光学装置のノイズ発生源から遠い展開位置に変位されてもよい。また、上記光学装置において、電波受信部は、光学系の使用時における姿勢に対して天面となる位置に配設されてもよい。【選択図】図８
2012108384.tif 000002
【特許請求の範囲】
【請求項１】
観察像を結像させる光学系と、
前記光学系の非使用時に前記光学系の端部を遮蔽し、前記光学系の使用時に前記光学系を露出するレンズカバーと、
前記レンズカバーに設けられた、電波を受信する電波受信部と
を備える光学装置。
【請求項２】
前記レンズカバーは、前記光学系の露出時において、前記遮蔽時における遮蔽位置よりも前記光学装置のノイズ発生源から遠い展開位置に変位される請求項１に記載の光学装置。
【請求項３】
前記電波受信部は、前記光学系の使用時における姿勢に対して天面となる位置に配設される請求項１または２に記載の光学装置。
【請求項４】
前記レンズカバーは、スライド機構を有し、前記光学系の前記非使用時における遮蔽位置と使用時における展開位置の間で変位する請求項１から３のいずれか１項に記載の光学装置。
【請求項５】
前記レンズカバーに、ユーザが操作する操作部材を備える請求項４に記載の光学装置。
【請求項６】
前記レンズカバーは、前記展開位置として、前記遮蔽位置における前記光学装置の外形寸法から突出する第１状態と、前記外形寸法に収まる第２状態に変位し得る請求項４または５に記載の光学装置。
【請求項７】
前記レンズカバーの前記遮蔽位置から前記展開位置のスライド方向は、前記光学系の使用時における姿勢に対して、上方向である請求項４から６のいずれか１項に記載の光学装置。
【請求項８】
前記レンズカバーは、前記展開位置から、前記スライド方向に平行な回転軸周りに回転する回転機構を有する請求項４から７のいずれか１項に記載の光学装置。
【請求項９】
前記電波受信部は、人工衛星から送信された測位用信号を受信して、前記測位用信号に基づいて測位演算を実行することにより位置情報を算出する測位ユニットを含む請求項１から８のいずれか１項に記載の光学装置。
【請求項１０】
請求項１から９のいずれか１項に記載の光学装置は撮像装置であって、
前記光学系により結像された前記観察像を光電変換して画像信号を出力する撮像素子と、
前記撮像素子が出力する画像信号を画像データへ変換する画像データ変換部と、
前記電波受信部により取得された情報と前記画像データとを関連付けて記録する記録制御部と
を備える撮像装置。
【発明の詳細な説明】
【技術分野】
【０００１】
本発明は、光学装置および撮像装置に関する。
【背景技術】
【０００２】
ＧＰＳ（Ｇｌｏｂａｌ  Ｐｏｓｉｔｉｏｎｉｎｇ  Ｓｙｓｔｅｍ：汎地球測位システム）ユニットを搭載して、位置検出機能を有する光学装置がある（特許文献１参照）。
［先行技術文献］
［特許文献］
［特許文献１］特開２００３−３１５８９０号公報
【発明の概要】
【発明が解決しようとする課題】
【０００３】
光学装置に搭載されたＧＰＳユニットは、光学装置自体が実装する電子回路から生じた電磁ノイズによりＧＰＳ信号の受信性能が低下する場合があった。
【課題を解決するための手段】
【０００４】
上記課題を解決すべく、本発明の第一態様として、観察像を結像させる光学系と、光学系の非使用時に光学系の端部を遮蔽し、光学系の使用時に光学系を露出するレンズカバーと、レンズカバーに設けられた、電波を受信する電波受信部とを備える光学装置が提供される。
【０００５】
また、本発明の第２態様として、上記光学装置であって、光学系により結像された観察像を光電変換する撮像素子と、撮像素子が出力する画像信号を画像データへ処理する画像処理部とを備え、画像処理部は、電波受信部により取得された情報を画像データに関連付ける撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】カメラ１００の正面図である。
【図２】カメラ１００の平面図である。
【図３】カメラ１００のブロック図である。
【図４】カメラ１００の正面図である。
【図５】カメラ１００の平面図である。
【図６】カメラ１００の背面図である。
【図７】カメラ１００の内部レイアウトを示す模式図である。
【図８】カメラ１００の正面図である。
【図９】カメラ１０１の正面図である。
【図１０】カメラ１０１の正面図である。
【図１１】カメラ１０１の正面図である。
【図１２】カメラ１０２の正面図である。
【図１３】カメラ１０２の正面図である。
【図１４】カメラ１０２の側面図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、カメラ１００の正面図である。カメラ１００は、筐体１１０、レリーズボタン１４０、レンズカバー１５０およびＧＰＳユニット１６０を備える。
【００１０】
筐体１１０は、前面にグリップ部１１２を有する。グリップ部１１２は、筐体１１０の前面から隆起して、ユーザが右手で筐体１１０を把持する場合に指をかける。ユーザがカメラ１００を通常使用するときには、レリーズ釦１４０が配された面が天面となる。この通常使用のときの天空の方向を上方と定義する。
【００１１】
レンズカバー１５０は、筐体１１０に水平に配されたガイドレール１１４に対して摺動可能に支持される。レンズカバー１５０は、筐体１１０の前面を半分以上覆う。筐体１１０の前面においては、光学系１２０の一端と発光窓１３０が、レンズカバー１５０により覆われている。
【００１２】
よって、レンズカバー１５０が閉じた状態では、レンズカバー１５０により遮蔽された光学系１２０を使用することはできず、撮影することができない。また、レンズカバー１５０により遮蔽された発光窓１３０が生じる閃光により被写体を照明することはできない。このように、図示のカメラ１００においては、レンズカバー１５０が遮蔽位置にある。
【００１３】
ＧＰＳユニット１６０は、レンズカバー１５０の上端に配される。ＧＰＳユニット１６０は、レンズカバー１５０に対して取り付けられており、レンズカバー１５０が移動する場合は、レンズカバー１５０と共に移動する。ただし、図示の通り、レンズカバー１５０が遮蔽位置にある場合、ＧＰＳユニット１６０は、筐体１１０の角部に位置する。
【００１４】
図２は、レンズカバー１５０が閉じた状態におけるカメラ１００の平面図である。図１と共通の要素には同じ参照番号を付して重複する説明を省く。
【００１５】
図示のように、カメラ１００において、レンズカバー１５０は、筐体１１０の上面も半分以上覆っている。なお、図示は省いたが、レンズカバー１５０は、筐体１１０の下面も半分以上覆っている。
【００１６】
また、カメラ１００において、ＧＰＳユニット１６０は、レンズカバー１５０の上面において図中右端に配される。ＧＰＳユニット１６０の上面は全体に、レンズカバー１５０の上面に露出している。よって、カメラ１００が使用される姿勢になった場合、ＧＰＳユニット１６０は直接に天空を向く。
【００１７】
図３は、カメラ１００の内部構造２００を示すブロック図である。カメラ１００は、光学系１２０に隣接して配された撮像部２１０と、電子部品が実装された主基板２０２と、主基板２０２上のバス２０１に接続されたフラッシュユニット１３２、姿勢センサ２７０、音声インターフェース３３０、画像表示インターフェース３４０等を備える。
【００１８】
光学系１２０は、撮影レンズ１２２を含み、入射した被写体光束を撮像部２１０に導く。光学系１２０に光学的に結合された撮像部２１０は撮像素子２１２を有する。撮像素子２１２は、光学系１２０が結像した被写体像をアナログの電気信号に光電変換する。撮像素子２１２は、筐体に対して固定される。撮像素子２１２としては、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光電変換素子が用いられる。
【００１９】
主基板２０２には、信号処理回路２２０および画像処理回路２３０が実装される。撮像部２１０においてアナログの電気信号に変換された被写体像は、信号処理回路２２０においてデジタル化され、画像処理回路２３０において画像データ化される。
【００２０】
また、画像処理回路２３０は、画像データを生成する過程で、画像のホワイトバランス、シャープネス、ガンマ、階調補正、圧縮等を調整する。生成された画像データは、当該画像を撮影したときの撮影条件、時刻等の情報と共に、ソケット２９０に着脱可能に装着された二次記憶媒体２９２に保存される。
【００２１】
主基板２０２には、プログラムメモリ２４０、メインメモリ２５０およびＣＰＵ２６０も実装される。プログラムメモリ２４０は、不揮発性記憶媒体または読出専用記憶媒体を含み、カメラ１００のファームウエア、ＩＤデータ等を格納する。プログラムメモリ２４０に格納されたプログラムは、メインメモリ２５０にロードされてＣＰＵ２６０により実行される。ＣＰＵ２６０は、ファームウエアとして供給されるプログラムに従って、カメラ１００全体の動作を包括的に制御する。
【００２２】
主基板２０２には、モータ駆動部２８０、ソケット２９０、入力部３１０および電源回路３２０も実装される。モータ駆動部２８０は、光学系１２０を合焦または変倍させる場合に、ＣＰＵ２６０の指示に従って撮影レンズ１２２を移動させるレンズ駆動モータ２８２に駆動電力を供給する。
【００２３】
ソケット２９０は、二次記憶媒体２９２を挿抜自在に保持する。ソケット２９０に挿入された二次記憶媒体２９２は、画像処理回路２３０により生成された画像データ等を格納する。例えば、この二次記憶媒体はメモリーカード等である。
【００２４】
入力部３１０は、レリーズボタン１４０、操作部１４２等を通じて入力されたユーザの指示を受け付けて保持する。ＣＰＵ２６０は、入力部３１０を参照することにより、ユーザの指示に応じた設定値に従って制御を実行する。
【００２５】
電源回路３２０は、ＣＰＵ２６０の制御の下に、電池３２２から供給される電力をカメラ１００全体に供給する。このように、ＣＰＵ２６０は、電源回路３２０を通じてカメラ１００の電力も管理する。
【００２６】
バス２０１には、筐体１１０内に配された姿勢センサ２７０、フラッシュユニット１３２、ＧＰＳユニット１６０等も接続される。姿勢センサ２７０は、カメラ１００の筐体１１０の、重力方向に対する傾斜を検出する。フラッシュユニット１３２は、撮像部２１０が被写体像を撮像するタイミングに合わせて発光窓１３０から閃光を発生して被写体を照明する。
【００２７】
ＧＰＳユニット１６０は、ＧＰＳ衛星の発信した電波によるＧＰＳ信号を受信するアンテナ１６２と、アンテナ１６２により受信したＧＰＳ信号を測位演算して、カメラ１００の位置情報を算出する演算部とを有する。ＣＰＵ２６０の指示により、このカメラ１００の位置情報の算出は所定時間毎（例えば１０秒毎）に実行され、算出された位置情報、および、当該位置情報を測位した時刻の情報は、メインメモリに一時記憶される。このメインメモリに一時記憶された位置情報、および、当該位置情報を測位した時刻の情報はＣＰＵ２６０から参照される。また、ＣＰＵ２６０の指示に従って、位置情報、および、当該位置情報を測位した時刻の情報は、記録用の画像データと共に二次記憶媒体２９２に保存される。
【００２８】
保存された位置情報は、例えば、カメラ１００における画像の撮影時刻と照合することにより、当該画像を撮影した場所を特定する情報となる。また、定期的に位置情報を保存することにより、撮影者の移動軌跡を記録できる。このように、カメラ１００は、ＧＰＳユニット１６０が算出した位置情報を利用する。
【００２９】
なお、衛星軌道のＧＰＳ衛星から送信されたＧＰＳ信号は減衰しており、アンテナが受信するＧＰＳ信号の信号強度は低い。このため、地上のＧＰＳユニット１６０は電磁雑音の影響を受けて測位精度が低下する場合がある。
【００３０】
音声Ｉ／Ｆ３３０は、デジタル／アナログ変換器等を介して、バス２０１をスピーカ３３２に結合する。これにより、ＣＰＵ２６０は、合成した告知、警告等を、スピーカ３３２から音声として出力させることができる。
【００３１】
画像表示Ｉ／Ｆ３４０は、デジタル／アナログ変換器等を介して、バス２０１を背面表示部１７０に結合する。これにより、ＣＰＵ２６０は、合成した文字および画像を、背面表示部１７０に表示させることができる。
【００３２】
背面表示部１７０の表示内容は、カメラ１００に対する設定値、電源の消費状態、撮像した画像等、多肢にわたる。また、背面表示部１７０には、カメラ１００に各種の設定値を入力する場合の選択肢としてメニューが表示される場合もある。更に、再生モードにおいては、カメラ１００により撮像された画像が背面表示部１７０に表示される。
【００３３】
上記のようなカメラ１００の電源が投入された状態で、レリーズボタン１４０が半押しされると、自動合焦機構および自動露出機構が動作して撮影可能な状態になる。更に、レリーズボタン１４０が全押しされると、その時点で光学系１２０に入射していた被写体光束から画像が記録用の画像として撮像され、記録用の画像データが取得される。そして、上述したように、ＣＰＵ２６０はメインメモリに記録されている最新の位置情報、および、当該位置情報を測位した時刻の情報を記録用の画像データに関連付けて二次記憶媒体２９２に保存する制御を実行する。例えば、ＣＰＵ２６０は、Exchangeable Image File Formatの形式で、画像データと位置情報と当該位置情報を測位した時刻の情報とを１つのファイルとして二次記憶媒体２９２に記憶させるよう制御する。
【００３４】
図４および図５は、カメラ１００の正面図および平面図であり、レンズカバー１５０が開いた状態を示す。図１および図２と共通の要素には同じ参照番号を付して重複する説明を省く。
【００３５】
図示の状態では、筐体１１０に対して、レンズカバー１５０がガイドレール１１４に沿って図中右方に移動し、筐体１１０の外側へ展開した展開位置にある。これにより、発光窓１３０および光学系１２０の一端が筐体１１０前面に露出している。また、ＧＰＳユニット１６０は、レンズカバー１５０と共に図中右方に移動して、筐体１１０から離れた位置に移動している。
【００３６】
このように、レンズカバー１５０が展開位置にある状態では、光学系１２０を使用して被写体像を撮影することができる。また、発光窓１３０から照射した閃光により被写体を照明できる。よって、レンズカバー１５０を遮蔽位置から展開位置に移動させる操作を、カメラ１００の電源スイッチと連動させてもよい。
【００３７】
図６は、図４および図５に示した状態のカメラ１００の背面図であり、レンズカバー１５０が展開位置にある状態を示す。ここまでに説明した要素と共通の要素には同じ参照番号を付して重複する説明を省く。
【００３８】
カメラ１００において、筐体１１０の背面には背面表示部１７０が配される。一方、レンズカバー１５０の背面には切欠き１５５が設けられる。これにより、レンズカバー１５０が遮蔽位置に移動した場合も、レンズカバー１５０が背面表示部１７０の表示領域を遮ることがない。
【００３９】
また、背面側に設けられた切欠き１５５により、展開位置にあるレンズカバー１５０においては、レンズカバー１５０の前側内面１５７が、背面表示部１７０の図中左側に露出する。前側内面１５７には、複数のボタンを含む操作部１４２が配される。
【００４０】
操作部１４２は、レンズカバー１５０が展開位置にある場合に限って操作でき、レンズカバー１５０が遮蔽位置に移動した場合には筐体１１０の影に隠れて操作できなくなる。換言すれば、操作部１４２は、光学系１２０および発光窓１３０を使用した撮影が可能な状態に限って操作できる。よって、操作部１４２には、撮影に関連した操作（例えば、光学系を駆動させることによるズーム操作、ＧＰＳ情報を記録用画像データとともに記録させるか否かを選択する操作等）を割り当てることが好ましい。
【００４１】
図７は、カメラ１００内部のレイアウトを示す模式図である。図示のように、筐体１１０の内部には、光学系１２０、フラッシュユニット１３２、主基板２０２、撮像部２１０、レンズ駆動モータ２８２、電池３２２等が配される。
【００４２】
ここで、主基板２０２には、信号処理回路２２０、画像処理回路２３０等のデジタル回路が実装される。また、プログラムメモリ２４０、メインメモリ２５０およびＣＰＵ２６０の相互の通信もデジタル信号による。このため、主基板２０２からは、周波数の高い電磁波が不可避に輻射される。
【００４３】
また、レンズ駆動モータ２８２を動作させる場合には、頻繁に極性が反転する駆動電流が供給される。レンズ駆動モータ２８２は消費電力が大きい部品なので、動作するレンズ駆動モータ２８２からは、強い電磁波（ＧＰＳ信号に対するノイズ信号）が輻射される。更に、フラッシュユニット１３２の充電回路も、大電流によりＧＰＳ信号に対する電磁ノイズを輻射する。
【００４４】
しかしながら、カメラ１００においてレンズカバー１５０が展開位置にある場合、レンズカバー１５０と共に移動したＧＰＳユニット１６０は、筐体１１０から離れている。電磁波の電界強度は距離に反比例するので、ＧＰＳユニット１６０を筐体１１０から遠ざけることにより、筐体１１０の内部で発生してＧＰＳユニット１６０に届く電磁輻射は減衰する。これにより、ＧＰＳユニット１６０が電磁輻射により受ける影響が抑制される。
【００４５】
図８は、レンズカバー１５０が展開位置にある場合のカメラ１００の正面図である。図１から図７までと共通の要素には同じ参照番号を付して重複する説明を省く。
【００４６】
図示の状態では、レンズカバー１５０が展開位置にあり、ＧＰＳユニット１６０は、筐体１１０から離れた位置にある。更に、図示のカメラ１００では、ＧＰＳユニット１６０が、レンズカバー１５０の側面に設けられたガイドレール１５２に沿って、図中に矢印Ｕで示すように、レンズカバー１５０に対して上方に移動している。
【００４７】
これにより、ＧＰＳユニット１６０は、カメラ１００全体のいずれの箇所に対しても上方に位置している。また、電磁輻射を生じる筐体１１０からは更に遠ざかっている。これにより、筐体１１０が発生した電磁輻射の影響がより一層抑制される。また、このようなＧＰＳユニット１６０の配置は、天頂以外の方向に位置するＧＰＳ衛星からの受信感度向上にも寄与する。
【００４８】
図９は、他のカメラ１０１の正面図であり、レンズカバー１５１が遮蔽位置にある状態を示す。カメラ１０１は、以下に説明する部分を除いて、既に説明したカメラ１００と同じ構造を有する。よって、共通の要素には同じ参照番号を付して重複する説明を省く。  
【００４９】
カメラ１０１において、レンズカバー１５１の寸法は筐体１１０の前面よりも小さく、レンズカバー１５１は筐体１１０の前面の一部を覆っている。レンズカバー１５１は、筐体１１０の前面に上下方向に配されたガイドレール１１５により摺動自在に支持される。
【００５０】
更に、カメラ１０１において、光学系１２０および発光窓１３０は、筐体１１０前面の下端近傍に配される。図示の状態では、レンズカバー１５１は遮蔽位置にあり、光学系１２０および発光窓１３０を遮蔽され使用できない状態である。ＧＰＳユニット１６０は、レンズカバー１５１の、図中右上の端に取り付けられている。
【００５１】
図１０は、通常使用されるときのカメラ１０１の概観を示す。通常使用されるときとは、レリーズ釦１４０が配された面が天面となる姿勢で使用されるときと定義する。この通常使用のときの天側の方向を上方と定義する。また、図１０は、カメラ１０１においてレンズカバー１５１が上方に移動した状態を示す。図示のように、レンズカバー１５１は、ガイドレール１１５に沿って上方に移動する。これにより、光学系１２０の一端が露出し、使用できる状態となる。また、発光窓１３０も露出し、使用できる状態となる。更に、ＧＰＳユニット１６０は、筐体１１０の上端近傍まで移動する。
【００５２】
この状態でも、光学系１２０を用いて被写体像を撮影できる。また、発光窓１３０の発生する閃光により被写体を照明できる。
【００５３】
図１１は、カメラ１０１においてレンズカバー１５１が更に上方に移動した状態を示す。図示のように、レンズカバー１５１は、筐体１１０の前面から上方に突出した展開位置に移動させることができる。これにより、ＧＰＳユニット１６０は、筐体１１０の上端よりも更に上方に移動している。よって、筐体１１０から生じる電磁波がＧＰＳユニット１６０に与える影響が抑制される。
【００５４】
図１２は、また他のカメラ１０２の正面図であり、レンズカバー１５１が遮蔽位置にある状態を示す。カメラ１０２は、以下に説明する部分を除いて、既に説明したカメラ１００と同じ構造を有する。よって、共通の要素には同じ参照番号を付して重複する説明を省く。
【００５５】
カメラ１０２において、レンズカバー１５３全体の寸法は、カメラ１０１の場合と略変わらない。しかしながら、レンズカバー１５３は、筐体１１０の前面に設けられた水平なガイドレール１１６により、筐体１１０に対して水平に摺動自在に支持される。
【００５６】
レンズカバー１５３は、遮蔽部１５４、揺動軸１５６および揺動部１５８を含む。遮蔽部１５４は、ガイドレール１１６により摺動自在に筐体１１０から支持される。揺動部１５８は、遮蔽部１５４から分離しており、上端にＧＰＳユニット１６０を支持する。
【００５７】
揺動軸１５６は、遮蔽部１５４に対して揺動部１５８を支持する。また、揺動軸１５６は、ガイドレール１１６と平行な一点鎖線Ｘの回りに揺動可能に揺動部１５８を支持する。
【００５８】
図１３は、カメラ１０２においてレンズカバー１５３が図中左方の展開位置に移動した状態を示す。図示のように、レンズカバー１５３は、ガイドレール１１６に沿って移動して、筐体１１０から突出している。これにより、筐体１１０の前面に、光学系１２０の一端と発光窓１３０が露出する。よって、光学系１２０を使用して被写体像を撮影できる。また、発光窓１３０の発生する閃光により被写体を照明できる。
【００５９】
更に、ＧＰＳユニット１６０は、レンズカバー１５３と共に移動して筐体１１０から離間しているこれにより、筐体１１０から生じる電磁波がＧＰＳユニット１６０に与える影響が抑制される。なお、レンズカバー１５３の揺動部１５８は、筐体１１０の外側に位置している。
【００６０】
図１４は、レンズカバー１５３が展開位置にあるカメラ１０２の側面図である。図１４は、図１３に矢印Ａにより示す方向から見た様子を示す。
【００６１】
カメラ１０２において、レンズカバー１５３の揺動部１５８は、遮蔽部１５４に対して揺動させることができる。よって、例えばカメラ１０２に対して下方に位置する被写体を撮影する場合に筐体１１０を前傾させても、揺動部１５８を揺動させて、ＧＰＳ衛星１６１の位置する天頂方向にＧＰＳユニット１６０を向けることができる。これにより、ＧＰＳユニット１６０におけるＧＰＳ信号の実効的な受信感度が向上され、測位精度を一層向上させることができる。
【００６２】
なお、上記の例では、カメラ１００、１０１、１０２を例に挙げて説明した。しかしながら、撮像装置ではない光学装置であって、ＧＰＳユニットおよび電子回路を実装するものにおいては、上記構造の利点を享受し得る。
【００６３】
例えば、測量器、望遠鏡、双眼鏡等の光学機器であって、ノイズの発生源となる電子回路と、ＧＰＳ信号を受信するＧＰＳユニットとを備える場合は、レンズカバーにＧＰＳユニットを設けることにより、ＧＰＳユニットをノイズ源から遠ざけた状態で電波受信部を動作させることができる。これにより、自身の内部回路の電磁輻射に起因する測位精度の低下を防止できる。
【００６４】
また、上記の形態では現在稼働中の測位システムであるＧＰＳを例に挙げて説明したが、電波の受信性能を向上させる効果は、ＧＰＳに限らず、電波を受信する場合に普く有効である。よって、無線ＬＡＮ、放送受信機、リモートコントローラ等、光学装置に電波受信機能を設ける場合に、上記の構造を広く適用できる。
【００６５】
更に、上記の例では、筐体１１０に設けられたガイドレール１１４、１１５、１１６に沿って移動するレンズカバー１５０、１５１、１５３を例に挙げて説明したが、レンズカバー１５０、１５１、１５３の形態がそれに限られるわけではない。例えば、レンズ鏡筒先端に着脱できるレンズキャップに電波受信部を設け、レンズを使用する場合は、レンズ鏡筒から取り外したレンズキャップを、筐体１１０の他の部位に再装着する構造にしてもよい。この場合、再装着した場合の電波受信部の位置が、筐体内のノイズ源から遠ざかっていれば、上記の場合と同様の効果が得られる場合がある。
【００６６】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００６７】
１００、１０１、１０２  カメラ、１１０  筐体、１１２  グリップ部、１１４、１１５、１１６、１５２  ガイドレール、１２０  光学系、１２２  撮影レンズ、１３０  発光窓、１３２  フラッシュユニット、１４０  レリーズボタン、１４２  操作部、１５０、１５１、１５３  レンズカバー、１５４  遮蔽部、１５５  切欠き、１５６  揺動軸、１５７  前側内面、１５８  揺動部、１６０  ＧＰＳユニット、１６１  ＧＰＳ衛星、１６２  アンテナ、１７０  背面表示部、２００  内部構造、２０１  バス、２０２  主基板、２１０  撮像部、２１２  撮像素子、２２０  信号処理回路、２３０  画像処理回路、２４０  プログラムメモリ、２５０  メインメモリ、２６０  ＣＰＵ、２７０  姿勢センサ、２８０  モータ駆動部、２８２  レンズ駆動モータ、２９０  ソケット、２９２  二次記憶媒体、３１０  入力部、３２０  電源回路、３２２  電池、３３０  音声インターフェース、３３２  スピーカ、３４０  画像表示インターフェース
【図１】
2012108384.tif 000003
【図２】
2012108384.tif 000004
【図３】
2012108384.tif 000005
【図４】
2012108384.tif 000006
【図５】
2012108384.tif 000007
【図６】
2012108384.tif 000008
【図７】
2012108384.tif 000009
【図８】
2012108384.tif 000010
【図９】
2012108384.tif 000011
【図１０】
2012108384.tif 000012
【図１１】
2012108384.tif 000013
【図１２】
2012108384.tif 000014
【図１３】
2012108384.tif 000015
【図１４】
2012108384.tif 000016